(57)【要約】【課題】既存のラック本体にモニタを後付けでき、ラック本体に収容される印刷媒体に対する関心を高めることができる安価なモニタ付きラック及びモニタ取付治具を提供すること。【解決手段】ラック本体２の上部にモニタ取付治具３Ａの本体取付台３１を取り付けると共に、本体取付台３１に連結部３２を介して連結されるモニタ取付台３３にモニタ４を取り付けることにより、モニタ取付治具３Ａを介してモニタ４をラック本体２に後付けし、モニタ４をラック本体２の上方に配置する。【選択図】 図１
0003204313.tif 000002
【実用新案登録請求の範囲】
【請求項１】
モニタと、
印刷媒体を収容するラック本体と、
前記ラック本体の上部に取り付けられる本体取付台と、前記モニタが取り付けられ、前記ラック本体の上方に前記モニタを配置するように前記本体取付台に連結されるモニタ取付台とを有するモニタ取付治具とを有すること
を特徴とするモニタ付きラック。
【請求項２】
請求項１に記載するモニタ付きラックにおいて、
前記モニタ取付治具には、前記モニタ取付台と前記本体取付台とを連結する連結部が設けられていること
を特徴とするモニタ付きラック。
【請求項３】
請求項１又は請求項２に記載するモニタ付きラックにおいて、
前記ラック本体は、前記印刷媒体を収容する収容部と、前記収容部を支持する枠部とを有すること、
前記本体取付台は、
前記ラック本体の背面側に配置される支持部と、
前記支持部から一方に突出するように設けられ、前記枠部の上部に引っ掛けられる複数のフック部と、
前記フック部と同一方向に突出し、前記枠部に固定される複数の固定部とを有すること、
を特徴とするモニタ付きラック。
【請求項４】
請求項１乃至請求項３の何れか一つに記載するモニタ付きラックにおいて、
前記モニタ取付台は、前記モニタの壁掛け用のネジ穴に取付ネジを締結することにより、前記モニタが取り付けられていること
を特徴とするモニタ付きラック。
【請求項５】
印刷媒体を収容するラック本体の上部に取り付けられる本体取付台と、
モニタが取り付けられるものであって、前記ラック本体の上方に前記モニタを配置するように前記本体取付台に連結されるモニタ取付台とを有すること
を特徴とするモニタ取付治具。
【請求項６】
請求項５に記載するモニタ取付治具において、
前記モニタ取付治具を前記本体取付台に連結する連結部が設けられていること
を特徴とするモニタ取付治具。
【請求項７】
請求項５又は請求項６に記載するモニタ取付治具において、
前記本体取付台は、
前記ラック本体の背面側に配置される支持部と、
前記支持部に一方に突出するように設けられ、前記ラック本体に設けられた枠部の上部に引っ掛けられる複数のフック部と、
前記フック部と同一方向に突出し、前記枠部に固定される複数の固定部とを有すること、
を特徴とするモニタ付きラック。
【請求項８】
請求項５乃至請求項７の何れか一つに記載するモニタ取付治具において、
前記モニタ取付台は、前記モニタの壁掛け用のネジ穴に締結される取付ネジが挿通される挿通穴を有すること
を特徴とするモニタ取付治具。
【考案の詳細な説明】
【技術分野】
【０００１】
本考案は、印刷媒体を収容するモニタ付きラック及びモニタ取付治具に関する。
【背景技術】
【０００２】
従来、例えば広告チラシやパンフレット、フリーペーパーなどの印刷媒体は、コンビニエンスストアやスーパーマーケット等の人目につく場所に設置されたラックに収容され、陳列されている。例えば特許文献１及び特許文献２には、印刷媒体を収容する収容部が縦横に並んで設けられ、狭い場所により多くの印刷媒体を分別配置するラックが開示されている。また、例えば特許文献３には、動画や静止画を表示する電光掲示板を備えるラックが開示されている。更に、例えば特許文献４には、タブレット端末を着脱可能に設けられたラックが開示されている。
【先行技術文献】
【特許文献】
【０００３】
【特許文献１】実開平５−１１８６８号公報
【特許文献２】特開２００８−１０４５０４号公報
【特許文献３】特開２００２−２７８４８７号公報
【特許文献４】実用新案登録第３１９６９９８号公報
【考案の概要】
【考案が解決しようとする課題】
【０００４】
しかしながら、従来の特許文献１及び特許文献２記載のラックは、単に印刷媒体を並べて陳列するだけであった。そのため、通行人や店の客などは、ラックの前を素通りし、印刷媒体を持ち帰ることが少なかった。そこで、印刷媒体の内容に関連する動画をラック周辺で流し、通行人や店の客などの関心を引くことが考えられる。しかし、ラックは、狭い場所に設置されることが多く、ラック周辺にモニタを設置することが難しい。特許文献３記載のラックは電光掲示板が予め組み込まれ、特許文献４記載のラックはタブレット端末を保持する保持部が設けられているため、それらはラック周辺にモニタ専用スペースを確保する必要がない。しかし、印刷媒体の収容部のみを備えるラックは既に沢山の場所に設置されており、それら全てを特許文献３及び特許文献４記載のラックに交換するのは、コストがかかる。
【０００５】
本考案は、上記問題点を解決するためになされたものであり、既存のラック本体にモニタを後付けでき、ラック本体に収容される印刷媒体に対する関心を高めることができる安価なモニタ付きラック及びモニタ取付治具を提供することを目的とする。
【課題を解決するための手段】
【０００６】
本考案の一態様は、次のような構成を有している。
（１）モニタと、印刷媒体を収容するラック本体と、前記ラック本体の上部に取り付けられる本体取付台と、前記モニタが取り付けられ、前記ラック本体の上方に前記モニタを配置するように前記本体取付台に連結されるモニタ取付台とを有するモニタ取付治具とを有することを特徴とするモニタ付きラックである。
【０００７】
（２）（１）に記載の構成において、前記モニタ取付治具には、前記モニタ取付台と前記本体取付台とを連結する連結部が設けられていることが好ましい。
【０００８】
（３）（１）又は（２）に記載するモニタ付きラックにおいて、前記ラック本体は、前記印刷媒体を収容する収容部と、前記収容部を支持する枠部とを有すること、前記本体取付台は、前記ラック本体の背面側に配置される支持部と、前記支持部から一方に突出するように設けられ、前記枠部の上部に引っ掛けられる複数のフック部と、前記フック部と同一方向に突出し、前記枠部に固定される複数の固定部とを有すること、が好ましい。
【０００９】
（４）（１）乃至（３）の何れか一つに記載する構成において、前記モニタ取付台は、前記モニタの壁掛け用のネジ穴に取付ネジを締結することにより、前記モニタが取り付けられていることが好ましい。
【００１０】
（５）印刷媒体を収容するラック本体の上部に取り付けられる本体取付台と、モニタが取り付けられるものであって、前記ラック本体の上方に前記モニタを配置するように前記本体取付台に連結されるモニタ取付台とを有することを特徴とするモニタ取付治具である。
【００１１】
（６）（５）に記載の構成において、前記モニタ取付治具を前記本体取付台に連結する連結部が設けられていることが好ましい。
【００１２】
（７）（５）又は（６）に記載の構成において、前記本体取付台は、前記ラック本体の背面側に配置される支持部と、前記支持部に一方に突出するように設けられ、前記ラック本体に設けられた枠部の上部に引っ掛けられる複数のフック部と、前記フック部と同一方向に突出し、前記枠部に固定される複数の固定部とを有すること、が好ましい。
【００１３】
（８）（５）乃至（７）の何れか一つに記載する構成において、前記モニタ取付台は、前記モニタの壁掛け用のネジ穴に締結される取付ネジが挿通される挿通穴を有することを特徴とする。
【００１４】
上記構成を有するモニタ付きラック及びモニタ取付治具は、モニタ取付治具の本体取付台をラック本体の上部に取り付けると共に、モニタ取付治具のモニタ取付台にモニタを取り付けることにより、モニタ取付治具を介して既存のラック本体に既存のモニタを後付けできる。そのため、既存のラックを、モニタを組み込んだ専用ラックに交換する必要がなく、安価にモニタ付きラックを設置できる。また、モニタ付きラックは、ラック本体の上方にモニタが配置されるので、周囲に空きスペースがないような狭い場所に設置されたラック本体にも、モニタを後付けできる。更に、モニタ付きラックは、モニタが、ＵＳＢメモリやＳＤカード、ハードディスクなどの記憶媒体に記憶された、例えば印刷媒体に関する動作データを再生することにより、通行人や店の客などの印刷媒体に対する関心を高めることができ、通行人や店の客などが印刷媒体を手に取る機会を増やすことができる。
【００１５】
また、上記構成を有するモニタ付きラック及びモニタ取付治具は、モニタ取付台と本体取付台が連結部を介して連結されているので、モニタ取付治具を軽量化できる。
【００１６】
また、上記構成を有するモニタ付きラック及びモニタ取付治具は、本体取付台に設けられた複数のフック部をラック本体の上部に引っ掛け、本体取付台の支持部をラック本体の背面側に配置する。そして、フック部と同一方向に突出する複数の固定部が、枠部に固定される。これにより、モニタ付きラックは、モニタ取付治具がラック本体に背面側から取り付けられるので、地震などの非常時や人がぶつかった場合に、重心が背面側に移動しやすい。そのため、例えばモニタ付きラックの背面を壁に沿わせて設置すれば、モニタ付きラックは、非常時や人がぶつかった場合に壁に支えられ、転倒が防止される。
【００１７】
また、上記構成を有するモニタ付きラック及びモニタ取付治具は、モニタ取付台が、モニタの壁掛け用のネジ穴に締結される取付ネジによりモニタが取り付けられるので、追加工なしでモニタを取り付けることができる。
【考案の効果】
【００１８】
従って、上記構成によれば、既存のラック本体にモニタを後付けでき、ラック本体に収容される印刷媒体に対する関心を高めることができる安価なモニタ付きラック及びモニタ取付治具を提供することができる。
【図面の簡単な説明】
【００１９】
【図１】本考案の第１実施形態に係るモニタ付きラックの側面図である。
【図２】図１に示すモニタ付きラックの外観斜視図である。
【図３】本考案の第１実施形態に係るモニタ取付治具の斜視図である。
【図４】本考案の第２実施形態に係るモニタ取付治具の斜視図である。
【図５】本考案の第２実施形態に係るモニタ付きラックの上部斜視図である。
【考案を実施するための形態】
【００２０】
以下に、本考案に係るモニタ付きラック及びモニタ取付治具の実施形態について図面に基づいて説明する。
【００２１】
（第１実施形態）
図１は、本考案の第１実施形態に係るモニタ付きラック１Ａの側面図である。図２は、図１に示すモニタ付きラック１Ａの外観斜視図である。図３は、本考案の第１実施形態に係るモニタ取付治具３Ａの外観斜視図である。
【００２２】
図１及び図２に示すモニタ付きラック１Ａは、ラック本体２の上部にモニタ取付治具３Ａを介してモニタ４が着脱可能に取り付けられている。モニタ付きラック１Ａは、例えば、コンビニエンスストア内の壁Ｗに背面側を面して設置される。
【００２３】
図１及び図２に示すように、ラック本体２は、複数の収容部２２が複数段（本実施形態では７段）、複数列（本実施形態では２列）に並んだ状態で枠部２１に支持され、フリーペーパーや広告チラシ、パンフレットなどの印刷媒体５が分別して配置されている。枠部２１は、上枠２１Ａと底枠２１Ｃと複数の横枠２１Ｄが一対の縦枠２１Ｂ，２１Ｂに溶接され、ラック本体２に強度を持たせている。ラック本体２は、ロック機能を有するキャスター２３が底枠２１Ｃに取り付けられ、簡単に移動できる。ラック本体２は、底枠２１Ｃに重り２４が設置され、重心が下向きにかかるようにしている。
【００２４】
図３に示すモニタ取付治具３Ａは、金属の部品同士を溶接して組み立てられている。モニタ取付治具３Ａは、ラック本体２に取り付けられる本体取付台３１と、モニタ４が取り付けられるモニタ取付台３３とが、連結部３２を介して連結されている。本体取付台３１は、棒状の支持部材３１１（支持部の一例）の両端に取付部材３１２がそれぞれ接合されている。取付部材３１２は、フック部３１２ａと固定片３１２ｂが同一方向に突出する略Ｃ形状をなす。フック部３１２ａは、鉤形状に設けられ、上枠２１Ａに引っ掛けられるようにしている。固定片３１２ｂには、固定ネジ３１３のネジ穴３１２ｃが形成されている。取付部材３１２は、断面矩形状に形成された支持部材３１１の同一面に、連結部３２を挟んで対称位置に溶接されている。かかる本体取付台３１は、取付部材３１２のフック部３１２ａを上枠２１Ａにそれぞれ引っ掛け、上枠２１Ａの下側に配置される固定片３１２ｂのネジ穴３１２ｃに固定ネジ３１３を各々ネジ込むことにより、固定ネジ３１３の先端部を上枠２１Ａにそれぞれ突き当てる。これにより、本体取付台３１は、固定ネジ３１３の先端部とフック部３１２ａにより上枠２１Ａをそれぞれ挟み込み、ラック本体２に固定される。尚、本実施形態では、固定片３１２ｂと固定ネジ３１３により「固定部」が構成される。
【００２５】
連結部３２は、一対の連結棒３２１，３２１が支持部材３１１に溶接されている。一対の連結棒３２１，３２１には補強材３２２が架設され、モニタ４の荷重により変形しないようにされている。モニタ取付台３３は、四角い板形状をなし、一対の連結棒３２１，３２１の先端部に溶接されている。モニタ取付台３３は、四隅に形成された挿通穴３３１に挿通された取付ネジ３３２を、モニタ４のネジ穴（図示せず）に締結することにより、モニタ４が取り付けられる。このモニタ４のネジ穴は、モニタ４を壁掛けするときのネジ穴（図示せず）を利用するため、モニタ４に追加工を施さなくて良い。一対の連結棒３２１，３２１は、モニタ取付台３３に取り付けられたモニタ４がラック本体２の最上段の収容部２２に収容されている印刷媒体５に重ならないように、モニタ取付台３３を本体取付台３１から離して保持している。
【００２６】
図２に示すように、モニタ４は、横幅がラック本体２の横幅以下のものが用いられ、ラック本体２の側方へ飛び出さない。モニタ４は、モニタ本体４１に表示画面４２が設けられている。図１に示すように、モニタ４は、ＵＳＢポート４３とＳＤカード挿入ポート４４を備え、ＵＳＢメモリやＳＤカード等の記憶媒体（図示せず）に記憶された動画を表示画面４２に再生できるようになっている。また、モニタ４は、インターネット等を介して外部装置から動画を受信してハードディスクに記憶し、再生することもできる。尚、モニタ４は、内蔵電池で駆動するものであっても良いし、ソケットをコンセントに接続して駆動電力を供給されるものであっても良い。
【００２７】
ここで、本体取付台３１は、支持部材３１１の長さがラック本体２の横幅とほぼ同じにされ、支持部材３１１の中央部に一対の連結棒３２１，３２１を接合している。そのため、モニタ４は、ラック本体２のほぼ中央部に配置され、モニタ４の荷重が、モニタ取付台３３、連結部３２、本体取付台３１を介してラック本体２にほぼ均等に作用する。これにより、モニタ付きラック１Ａは、モニタ４が既存のラック本体２に後付けされても倒れにくい。一方、本体取付台３１は、ラック本体２の背面側から上枠２１Ａにフック部３１２ａを引っ掛けてラック本体２に取り付けられている。そのため、モニタ付きラック１Ａは、地震時などの非常時や人がぶつかった場合などに、重心が背面側に移りやすくなっている。
【００２８】
このようなモニタ付きラック１Ａ及びモニタ取付治具３Ａは、モニタ取付治具３Ａの本体取付台３１をラック本体２の上部（上枠２１Ａ）に取り付けると共に、モニタ取付治具３Ａのモニタ取付台３３にモニタ４を取り付けることにより、既存のラック本体２に既存のモニタ４を後付けできる。そのため、既存のラックを、モニタを組み込んだ専用ラックに交換する必要がなく、安価にモニタ付きラック１Ａを設置できる。また、モニタ付きラック１Ａは、ラック本体２の上方にモニタ４が配置されるので、周囲に空きスペースがないような狭い場所に設置されたラック本体２にも、モニタ４を後付けできる。更に、モニタ付きラック１Ａは、モニタ４が、ＵＳＢメモリやＳＤカード、ハードディスクなどの記憶媒体（図示せず）に記憶された、例えば印刷媒体５に関する動作データを再生することにより、通行人や店の客などの印刷媒体５に対する関心を高めることができ、通行人や店の客などが印刷媒体５を手に取る機会を増やすことができる。
【００２９】
また、モニタ付きラック１Ａ及びモニタ取付治具３Ａは、モニタ取付台３３と本体取付台３１が連結部３２を介して連結されているので、モニタ取付治具３Ａを軽量化できる。
【００３０】
また、モニタ付きラック１Ａ及びモニタ取付治具３Ａは、本体取付台３１に設けられた一対のフック部３１２ａをラック本体２の上部（上枠２１Ａ）に引っ掛け、本体取付台３１の支持部材３１１をラック本体２の背面側に配置する。すると、フック部３１２ａと同一方向に突出する複数の固定片３１２ｂが、上枠２１Ａの下側に沿って配置されるので、固定ネジ３１３をネジ穴３１２ｃに締結する。固定ネジ３１３の先端部が上枠２１Ａに突き当てられ、モニタ取付治具３Ａは、フック部３１２ａと固定ネジ３１３とでラック本体２の上枠２１Ａを挟持し、ラック本体２に簡単に固定される。このように、モニタ付きラック１Ａは、モニタ取付治具３Ａがラック本体２の背面側に位置するので、地震などの非常時や人がぶつかった場合に、重心が背面側に移動しやすい。そのため、例えば図１に示すように、モニタ付きラック１Ａの背面を壁Ｗに沿わせて設置すれば、モニタ付きラック１Ａは、非常時や人がぶつかった場合に壁Ｗに支えられ、転倒が防止される。
【００３１】
また、上記構成を有するモニタ付きラック１Ａ及びモニタ取付治具３Ａは、モニタ取付台３３が、モニタ４の壁掛け用のネジ穴（図示せず）に締結される取付ネジ３３２によりモニタ４が取り付けられるので、追加工なしでモニタ４を取り付けることができる。
【００３２】
従って、本実施形態によれば、既存のラック本体２にモニタ４を後付けでき、ラック本体２に収容される印刷媒体５に対する関心を高めることができる安価なモニタ付きラック１Ａ及びモニタ取付治具３Ａを提供することができる。
【００３３】
（第２実施形態）
続いて、本考案の第２実施形態に係るモニタ付きラック及びモニタ取付治具について説明する。図４は、本考案の第２実施形態に係るモニタ取付治具３Ｂの斜視図である。図５は、本考案の第２実施形態に係るモニタ付きラック１Ｂの上部斜視図である。モニタ付きラック１Ｂ及びモニタ取付治具３Ｂは、本体取付台３５の構成と、ラック本体６の枠部６１の太さを除き、第１実施形態のモニタ付きラック１Ａ及びモニタ取付治具３Ａと同様に構成されている。そこで、第１実施形態と共通の構成は第１実施形態と同じ符号を説明と図面に使用し、適宜説明を省略する。
【００３４】
図５に示すモニタ付きラック１Ｂのラック本体６は、枠部６１が細く、強度が低い。そのため、モニタ取付治具３Ｂは、四角い枠で設けられた本体取付台３５を枠部６１の上部に広い面積で当接させ、ラック本体６に作用する荷重を広く分散させている。図４に示すように、本体取付台３５は、上部支持枠３５１と下部支持枠３５３を縦支持枠３５２、３５２に結合したものであり、横幅が枠部６１の横幅と同じにされている。フック部材３５０（フック部の一例）は、鉤形状に形成され、上部支持枠３５１のラック本体２側に位置する面に溶接されている。固定片３５４，３５４は、それぞれ、平板で設けられ、縦支持枠３５２の外側に位置する面に溶接され、フック部材３５０と同一方向に突出している。固定片３５４，３５４は、本体取付台３５の軸線を挟んで対称の位置に配置されている。固定片３５４には、それぞれ、固定ネジ３５５を挿通する挿通穴３５４ａが形成され、挿通穴３５４ａと枠部６１に貫通した固定ネジ３５５をナット３５６に締結することにより、本体取付台３５が固定片３５４を介して枠部６１に固定される。
【００３５】
このようなモニタ付きラック１Ｂとモニタ取付治具３Ｂは、第１実施形態のモニタ付きラック１Ａとモニタ取付治具３Ｂの作用効果に加え、本体取付台３５が四角い枠で設けられ、ラック本体６の枠部６１に広い面積で接触するので、枠部６１を補強しつつ、既存のモニタ４を既存のラック本体６に後付けできる。また、フック部材３５０と固定ネジ３５５とナット３５６により、簡単にモニタ取付治具３Ｂをラック本体６に固定できる。
【００３６】
尚、考案は、上記実施形態に限定されることなく、色々な応用が可能である。
【００３７】
（１）例えば、上記実施形態では、モニタ取付台３３が連結部３２を介して本体取付台３１，３５に間接的に連結されるが、モニタ取付台３３の縦幅を長くしてモニタ取付台３３を本体取付台３１，３５に溶接により直接連結するようにしても良い。
【００３８】
（２）例えば、モニタ付きラック１Ａ，１Ｂの収容部２２の配列は、上記実施形態に限定されず、収容部２２を１列又は３列以上設けても良い。また、収容部２２の段数も７段に限定されるものではない。また、ラック本体２，６を複数台連結しても良い。
【００３９】
（３）例えば、上記実施形態では、モニタ取付治具３Ａやラック本体２を金属で設けたが、樹脂製のパイプ等で設けても良い。
【００４０】
（４）例えば、上記実施形態では、モニタ取付治具３Ａ，３Ｂの部品同士を溶接したが、ネジなどにより部品同士を結合しても良い。
【００４１】
（５）上記実施形態では、フック部３１２ａ、フック部材３５０、固定片３１２ｂ，３５４を２個ずつ設けたが、これらは３個以上設け、モニタ４の荷重がラック本体２，６に均等に伝わるように配置しても良い。
【符号の説明】
【００４２】
１Ａ，１Ｂ…モニタ付きラック
２，６…ラック本体
３Ａ，３Ｂ…モニタ取付治具
３１，３５…本体取付台
３２…連結部
３３…モニタ取付台
４…モニタ
２１，６１…枠部
３１１…支持部材（支持部の一例）
３１２ａ…フック部
３１２ｂ…固定片（固定部の一例）
３１３…固定ネジ（固定部の一例）
３１１…挿通穴
３３２…取付ネジ
３５０…フック部材（フック部の一例）
３５４…固定片（固定部の一例）
３５５…固定ネジ（固定部の一例）
３５６…ナット（固定部の一例）
【図１】
0003204313.tif 000003
【図２】
0003204313.tif 000004
【図３】
0003204313.tif 000005
【図４】
0003204313.tif 000006
【図５】
0003204313.tif 000007